【手続補正書】
【提出日】平成15年9月18日(2003.9.18)
【手続補正１】
【補正対象書類名】明細書
【補正対象項目名】発明の名称
【補正方法】変更
【補正の内容】
【発明の名称】情報検索装置、情報検索方法及び情報検索プログラムを記録したコンピュータ読み取り可能な記録媒体


【手続補正２】
【補正対象書類名】明細書
【補正対象項目名】特許請求の範囲
【補正方法】変更
【補正の内容】
【特許請求の範囲】
【請求項１】
情報の単位であるノードとノード間のリンクによって構成されるハイパードキュメントシステムを検索対象とする情報検索装置において、
前記ハイパードキュメントシステム中のノードを対象として、リンクによる結合があり且つ内容が類似するノードからなるノード群を構成するノード群構成手段と、
前記ノード群を構成する構成ノードを記憶する構成ノード記憶手段と、
検索要求が入力されると、複数の前記ノード群の中で前記検索要求に対する類似度の高い類似ノード群を検索する情報検索手段と、
前記情報検索手段により検索結果の候補として返された前記類似ノード群について、前記構成ノード記憶手段で記憶されている構成ノードと前記検索要求との間の類似度を計算する類似度計算手段と、
前記検索要求に対する類似度の高い構成ノードが区別できるようにして、前記類似ノード群中の各構成ノードへアクセスするための経路を表示する類似度検索結果表示手段と、
を有することを特徴とする情報検索装置。
【請求項２】
前記検索要求と構成ノードとの間の類似度計算結果を保持する類似度計算結果記憶手段をさらに有し、
前記類似度計算手段は、前記構成ノード記憶手段で記憶されている構成ノードと前記検索要求との間の類似度については、前記類似度計算結果記憶手段から取得し、新たに計算した類似度については逐次前記類似度計算結果記憶手段に格納することを特徴とする請求項１記載の情報検索装置。
【請求項３】
前記類似度検索結果表示手段は、類似度の高い構成ノードから低い構成ノードへの降順アクセス経路が存在する場合には、前記降順アクセス経路を優先的に表示することを特徴とする請求項１記載の情報検索装置。
【請求項４】
情報の単位であるノードとノード間のリンクによって構成されるハイパードキュメントシステムを検索対象とする情報検索装置において、
リンクで直接参照されるノード間のノード間類似度を算出するノード間類似度算出手段と、
検索要求が入力されると、前記検索要求と前記ハイパードキュメントシステムに含まれるノードとの間の検索要求類似度を算出する検索要求類似度算出手段と、
前記検索要求類似度と前記ノード間類似度とに基づいてノード間のリンク重みを算出するリンク重み算出手段と、
前記リンク重みに基づいて、あらかじめ設定された閾値以上のリンク重みで互いに接続されたノードによってノード群を構成する動的ノード群構成手段と、
を有することを特徴とする情報検索装置。
【請求項５】
前記検索要求類似度の高いノードを起点として構成されたノード群中の各構成ノードにアクセスするための経路を表示する検索結果表示手段をさらに有することを特徴とする請求項４記載の情報検索装置。
【請求項６】
情報の単位であるノードとノード間のリンクによって構成されるハイパードキュメントシステムを検索対象とする情報検索プログラムを記録したコンピュータ読み取り可能な記録媒体において、
前記ハイパードキュメントシステム中のノードを対象として、リンクによる結合があり且つ内容が類似するノードからなるノード群を構成するノード群構成手段、
前記ノード群を構成する構成ノードを記憶する構成ノード記憶手段と、
検索要求が入力されると、複数の前記ノード群の中で前記検索要求に対する類似度の高い類似ノード群を検索する情報検索手段、
前記情報検索手段により検索結果の候補として返された前記類似ノード群について、前記構成ノード記憶手段で記憶されている構成ノードと前記検索要求との間の類似度を計算する類似度計算手段、
前記検索要求に対する類似度の高い構成ノードが区別できるようにして、前記類似ノード群中の各構成ノードへアクセスするための経路を表示する類似度検索結果表示手段、
を有することを特徴とする情報検索プログラムを記録したコンピュータ読み取り可能な記録媒体。
【請求項７】
情報の単位であるノードとノード間のリンクによって構成されるハイパードキュメントシステムを検索対象とする情報検索プログラムを記録したコンピュータ読み取り可能な記録媒体において、
リンクで直接参照されるノード間のノード間類似度を算出するノード間類似度算出手段、
検索要求が入力されると、前記検索要求と前記ハイパードキュメントシステムに含まれるノードとの間の検索要求類似度を算出する検索要求類似度算出手段、
前記検索要求類似度と前記ノード間類似度とに基づいてノード間のリンク重みを算出するリンク重み算出手段、
前記リンク重みに基づいて、あらかじめ設定された閾値以上のリンク重みで互い接続されたノードによってノード群を構成する動的ノード群構成手段、
を有することを特徴とする情報検索プログラムを記録したコンピュータ読み取り可能な記録媒体。
【請求項８】
情報の単位であるノードとノード間のリンクによって構成されるハイパードキュメントシステムを検索する情報検索方法において、
前記ハイパードキュメントシステム中のノードを対象として、リンクによる結合があり且つ内容が類似するノードからなるノード群をノード群構成手段で構成し、
前記ノード群を構成する構成ノードを構成ノード記憶手段で記憶し、
検索要求が入力されると、複数の前記ノード群の中で前記検索要求に対する類似度の高い類似ノード群を情報検索手段で検索し、
前記情報検索手段により検索結果の候補として返された前記類似ノード群について、前記構成ノード記憶手段で記憶されている構成ノードと前記検索要求との間の類似度を類似度計算手段で計算し、
前記検索要求に対する類似度の高い構成ノードが区別できるようにして、前記類似ノード群中の各構成ノードへアクセスするための経路を類似度検索結果表示手段で表示することを特徴とする情報検索方法。
【請求項９】
情報の単位であるノードとノード間のリンクによって構成されるハイパードキュメントシステムを検索する情報検索方法において、
リンクで直接参照されるノード間のノード間類似度をノード間類似度算出手段で算出し、
検索要求が入力されると、前記検索要求と前記ハイパードキュメントシステムに含まれるノードとの間の検索要求類似度を検索要求類似度算出手段で算出し、
前記検索要求類似度と前記ノード間類似度とに基づいてノード間のリンク重みをリンク重み算出手段で算出し、
前記リンク重みに基づいて、あらかじめ設定された閾値以上のリンク重みで互いに接続されたノードによってノード群を動的ノード群構成手段で構成することを特徴とする情報検索方法。
【手続補正３】
【補正対象書類名】明細書
【補正対象項目名】０００１
【補正方法】変更
【補正の内容】
【０００１】
【発明の属する技術分野】
本発明は、ノードとノード間のリンクで構成されるハイパードキュメントシステムから情報を検索する情報検索装置、情報検索方法及びその情報検索装置、情報検索方法をコンピュータ上に構築するための情報検索プログラムを記録した媒体に関し、特に一定の意味的まとまりを有するノード群を検索対象として情報検索を行う情報検索装置、一定の意味的まとまりを有するノード群を検索対象として情報検索を行う情報検索方法及び情報検索プログラムを記録したコンピュータ読み取り可能な記録媒体に関する。
【手続補正４】
【補正対象書類名】明細書
【補正対象項目名】００１１
【補正方法】変更
【補正の内容】
【００１１】
また、本発明の他の目的は、意味的まとまりを持つ情報を１単位とする検索を行い、検索されたハイパーテキスト構造内の有用な情報を効率良く閲覧できるような処理をコンピュータに実行させることができる情報検索プログラムを記録したコンピュータ読み取り可能な記録媒体を提供することである。
さらに、本発明の他の目的は、意味的まとまりを持つ情報を１単位とする検索において、検索されたハイパーテキスト構造内の有用な情報を効率良く閲覧できる情報検索方法を提供することである。